(57)【要約】【課題】摺動面の摩耗を防止し、開閉時の摩擦抵抗を低減することができるゲーム機用下部蝶番を提供する。【解決手段】本体枠の下部に固定される固定部１と、前扉の下部に固定される可動部１０とを備え、可動部１０の水平板部１１を、スペーサ２０を介して固定部１の水平支持部４上に重ね合わせ、可動部１０が回動可能に組み付けられる。固定部の水平支持部上に支軸が突設され、水平支持部上に、支持傾斜凸部６が形成される。水平支持部上の該支軸の周囲に、軸周傾斜凸部７が設けられる。スペーサ２０の水平板部上に軸受部が突設され、軸受部には、内部に軸受穴が底部を開口して設けられる。スペーサは、可動部の水平板部に設けた軸孔に軸受部２２を下から挿通して、可動部の水平板部の下面に取り付けられる。【選択図】図５
2020022575.tif 000002
【特許請求の範囲】
【請求項１】
ゲーム機の本体枠の下部に固定される固定部と、該ゲーム機の前扉の下部に固定される可動部とを備え、該可動部の水平板部を、スペーサを介して該固定部の水平支持部上に重ね合わせ、該可動部が回動可能に組み付けられるゲーム機用下部蝶番であって、
該固定部の該水平支持部上に支軸が突設されるとともに、該支軸から離れた位置の該水平支持部上に、支持傾斜凸部が形成され、
該水平支持部上の該支軸の周囲に、軸周傾斜凸部が設けられ、
該スペーサの水平板部上に軸受部が突設され、該軸受部には、内部に軸受穴が底部を開口して設けられ、該スペーサは、該可動部の該水平板部に設けた軸孔に該軸受部を下から挿通して、該可動部の該水平板部の下面に取り付けられ、
該スペーサの下面に、該可動部の回動時、該支持傾斜凸部の傾斜面に摺接する支持傾斜凹部が設けられるとともに、該スペーサの該軸受穴の周囲に、該軸周傾斜凸部の傾斜面に摺接する軸周傾斜凹部が設けられ、
該支持傾斜凸部と該支持傾斜凹部の傾斜面及び該軸周傾斜凸部と該軸周傾斜凹部の傾斜面が、該可動部の開放側への回動時、該固定部に対し該可動部を僅かに上昇させる方向に形成されたことを特徴とするゲーム機用下部蝶番。
【請求項２】
前記スペーサは、前記水平板部及び前記軸受部とともに、合成樹脂により一体成形されたことを特徴とする請求項１記載のゲーム機用下部蝶番。
【請求項３】
前記支持傾斜凸部は、前記支軸を中心とする略扇形状に、前記水平支持部上に形成されたことを特徴とする請求項１記載のゲーム機用下部蝶番。
【請求項４】
前記支持傾斜凹部は、前記支持傾斜凸部に対応する形状で、前記スペーサの下面に形成されたことを特徴とする請求項３記載のゲーム機用下部蝶番。
【請求項５】
前記軸周傾斜凸部として、２個の軸周傾斜凸部が、前記固定部の水平支持部上の支軸の周囲に、所定の角度範囲で設けられたことを特徴とする請求項１記載のゲーム機用下部蝶番。
【請求項６】
前記軸周傾斜凹部として、２個の軸周傾斜凹部が、前記軸周傾斜凸部に対応する形状で、前記スペーサの下面の軸受穴の周囲に形成されたことを特徴とする請求項５記載のゲーム機用下部蝶番。
【請求項７】
ゲーム機の本体枠の下部に固定される固定部と、該ゲーム機の前扉の下部に固定される可動部とを備え、該可動部の水平板部を、スペーサを介して該固定部の水平支持部上に重ね合わせ、該可動部が回動可能に組み付けられるゲーム機用下部蝶番であって、
該固定部の該水平支持部上に支軸が突設されるとともに、該支軸から離れた位置の該水平支持部上に、支持傾斜凹部が形成され、
該水平支持部上の該支軸の周囲に、軸周傾斜凹部が設けられ、
該スペーサの水平板部上に軸受部が突設され、該軸受部には、内部に軸受穴が底部を開口して設けられ、該スペーサは、該可動部の該水平板部に設けた軸孔に該軸受部を下から挿通して、該可動部の該水平板部の下面に取り付けられ、
該スペーサの下面に、該可動部の回動時、該支持傾斜凹部の傾斜面に摺接する支持傾斜凸部が設けられるとともに、該スペーサの該軸受穴の周囲に、該軸周傾斜凹部の傾斜面に摺接する軸周傾斜凸部が設けられ、
該支持傾斜凹部と該支持傾斜凸部の傾斜面及び該軸周傾斜凹部と該軸周傾斜凸部の傾斜面が、該可動部の開放側への回動時、該固定部に対し該可動部を僅かに上昇させる方向に形成されたことを特徴とするゲーム機用下部蝶番。
【請求項８】
ゲーム機の本体枠の下部に固定される固定部と、該ゲーム機の前扉の下部に固定される可動部とを備え、該可動部の水平板部を、スペーサを介して該固定部の水平支持部上に重ね合わせ、該可動部が回動可能に組み付けられるゲーム機用下部蝶番であって、
該可動部の該水平板部の下面に支軸が突設されるとともに、該支軸から離れた位置の該水平板部の下面に、支持傾斜凸部が形成され、
該水平板部の下面の該支軸の周囲に、軸周傾斜凸部が設けられ、
該スペーサの水平板部の下面に軸受部が突設され、該軸受部には、該支軸が嵌入可能な軸受穴が開口して設けられ、該スペーサは、該固定部に設けた軸孔に上から挿入して、該固定部の該水平支持部上に取り付けられ、
該スペーサ上に、該可動部の回動時、該支持傾斜凸部の傾斜面に摺接する支持傾斜凹部が設けられるとともに、該スペーサの該軸受穴の周囲に、該軸周傾斜凸部の傾斜面に摺接する軸周傾斜凹部が設けられ、
該支持傾斜凸部と該支持傾斜凹部の傾斜面及び該軸周傾斜凸部と該軸周傾斜凹部の傾斜面が、該可動部の開放側への回動時、該固定部と該スペーサに対し該可動部を僅かに上昇させる方向に形成されたことを特徴とするゲーム機用下部蝶番。
【発明の詳細な説明】
【技術分野】
【０００１】
本発明は、スロットマシン、パチンコ機などのゲーム機の前枠を本体枠に対し開閉可能に取り付ける着脱式のゲーム機用蝶番に関し、特に前枠と本体枠の下部に取り付けられる下部蝶番に関する。
【背景技術】
【０００２】
従来、パチンコ機などのゲーム機の前枠を本体枠に対し開閉自在に取り付ける蝶番として、上部に取り付けられる上部蝶番と下部に取り付けられる下部蝶番からなる構造の蝶番が、通常使用されている。この蝶番は、上部蝶番、下部蝶番共に固定部と可動部とに分かれて形成され、軸ピンと軸受部の嵌合により可動部側が固定部側に対し回動可能に支持される。つまり、上部蝶番の固定部は本体枠の上角部に固定され、上部蝶番の可動部は前枠の上角部に固定され、下部蝶番の固定部は本体枠の下角部に固定され、下部蝶番の可動部は前枠の下角部に固定されて使用される。
【０００３】
このようなゲーム機用蝶番における前枠と本体枠の下部に固定される蝶番として、従来、本体枠に固定される蝶番固定部の水平板部上に軸ピンが突設され、前枠に固定される蝶番可動部の水平板部に、軸ピンが嵌合される軸受孔が穿設され、蝶番固定部の水平板部上に蝶番可動部の水平板部を重ね合わせるように、その軸ピンを軸受孔に嵌合させて組み付ける構造の蝶番が、使用されている（例えば、下記特許文献１などを参照）。
【先行技術文献】
【特許文献】
【０００４】
【特許文献１】特開２００３−２４５４４８号公報
【発明の概要】
【発明が解決しようとする課題】
【０００５】
この種の下部蝶番は、比較的構造が簡単で、鋼板を主な材料にして比較的低コストで製造できるという利点があるが、軸ピンと軸受孔を嵌め合わせて、蝶番可動部と蝶番固定部を嵌合させた使用状態で、蝶番可動部の水平板部と蝶番固定部の水平板部が重ね合わされる。このため、ゲーム機の前枠の開閉時、本体枠に対し前枠を回動する際、蝶番可動部の水平板部と蝶番固定部の水平板部の当接面が摺動し、その摺動面には、前枠の略全荷重がかかることとなる。
【０００６】
近年のゲーム機の前枠には、各種の電子機器等が搭載されるため、その荷重は非常に大きく、蝶番可動部の水平板部と蝶番固定部の水平板部の摺動面に大きな荷重がかかり、その状態で可動部が回動する。このため、長期の使用に伴い、水平板部の摺動面が摩擦抵抗により磨耗しやすく、しかも、摩耗の発生により金属粉が摺動面に付着して磨耗が促進され、下部蝶番の摺動部の摩擦抵抗が増大する課題があった。
【０００７】
本発明は、上記の点に鑑みてなされたもので、摺動面の摩耗を防止し、開閉時の摩擦抵抗を低減することができるゲーム機用下部蝶番を提供することを目的とする。
【課題を解決するための手段】
【０００８】
上記目的を達成するために、本発明のゲーム機用下部蝶番は、
ゲーム機の本体枠の下部に固定される固定部と、該ゲーム機の前枠の下部に固定される可動部とを備え、該可動部の水平板部を、スペーサを介して該固定部の水平支持部上に重ね合わせ、該可動部が回動可能に組み付けられるゲーム機用下部蝶番であって、
該固定部の該水平支持部上に支軸が突設されるとともに、該支軸から離れた位置の該水平支持部上に、支持傾斜凸部が形成され、
該水平支持部上の該支軸の周囲に、軸周傾斜凸部が設けられ、
該スペーサの水平板部上に軸受部が突設され、該軸受部には、内部に軸受穴が底部を開口して設けられ、該スペーサは、該可動部の該水平板部に設けた軸孔に該軸受部を下から挿通して、該可動部の該水平板部の下面に取り付けられ、
該スペーサの下面に、該可動部の回動時、該支持傾斜凸部の傾斜面に摺接する支持傾斜凹部が設けられるとともに、該スペーサの該軸受穴の周囲に、該軸周傾斜凸部の傾斜面に摺接する軸周傾斜凹部が設けられ、
該支持傾斜凸部と該支持傾斜凹部の傾斜面及び該軸周傾斜凸部と該軸周傾斜凹部の傾斜面が、該可動部の開放側への回動時、該固定部に対し該可動部を僅かに上昇させる方向に形成されたことを特徴とする。
【０００９】
この発明のゲーム機用下部蝶番によれば、ゲーム機の前枠を開放側に回動させると、固定部の水平支持部上に突設された支軸を軸に、スペーサ付きの可動部が回動を開始し、このとき、スペーサの支持傾斜凹部の傾斜面が固定部上の支持傾斜凸部の傾斜面に乗り上げるように摺動し、且つスペーサの軸周傾斜凹部の傾斜面が固定部の支軸周囲の軸周傾斜凸部の傾斜面に乗り上げるように摺動する。これにより、可動部が固定部に対し僅かに持ち上げられるように回動し、固定部と可動部の摺接部分である、水平支持部と水平板部間の摩擦抵抗が、低減され、摩擦による金属粉の発生も防止され、可動部の回動を円滑に行うことができる。
【００１０】
ここで、上記スペーサは、上記水平板部及び軸受部とともに、合成樹脂により一体成形することが好ましい。
【００１１】
またここで、上記支持傾斜凸部は、上記支軸を中心とする略扇形状に、上記水平支持部上に形成することが好ましい。また、上記支持傾斜凹部は、該支持傾斜凸部に対応する形状で、上記スペーサの下面に形成することが好ましい。
【００１２】
またここで、上記軸周傾斜凸部として、２個の軸周傾斜凸部が、上記固定部の水平支持部上の支軸の周囲に、所定の角度範囲で設けられる構成とすることができる。また、上記軸周傾斜凹部として、２個の軸周傾斜凹部が、上記軸周傾斜凸部に対応する形状で、上記スペーサの下面の軸受穴の周囲に形成することが好ましい。
【発明の効果】
【００１３】
この発明のゲーム機用下部蝶番によれば、摺動面の摩耗を防止し、開閉時の摩擦抵抗を低減することができる。
【図面の簡単な説明】
【００１４】
【図１】本発明の一実施形態を示すゲーム機用下部蝶番の正面図である。
【図２】同下部蝶番の左側面図である。
【図３】同下部蝶番の右側面図である。
【図４】（ａ）は下部蝶番の斜視図、（ｂ）は下側から見た斜視図である。
【図５】下部蝶番の分解斜視図である。
【図６】（ａ）は固定部の正面図、（ｂ）は固定部の左側面図、（ｃ）は固定部の右側面図である。
【図７】（ａ）は固定部の斜視図、（ｂ）は固定部の下側から見た斜視図である。
【図８】（ａ）はスペーサの下側から見た斜視図、（ｂ）は角度を変えた斜視図である。
【図９】（ａ）は可動部とスペーサを重ね合わせた状態の斜視図、（ｂ）はその下側から見た斜視図である。
【図１０】可動部を閉じたときの、使用形態を示す平面図である。
【図１１】可動部を開いたときの、使用形態を示す平面図である。
【図１２】可動部を開いたときの、使用形態を示す斜視図である。
【図１３】他の実施形態の下部蝶番の分解斜視図である。
【図１４】さらに他の実施形態の下部蝶番の分解斜視図である。
【発明を実施するための形態】
【００１５】
以下、本発明の実施の形態を図面に基づいて説明する。図１〜図４に示すように、この下部蝶番は、パチンコ機などのゲーム機において、その本体枠３０と前枠３１の下部に取り付けられる、着脱式の蝶番である。下部蝶番は、本体枠３０に固定される固定部１と、前枠３１に固定される可動部１０と、可動部１０の水平板部１１の下面に取り付けられ、固定部１の水平支持部４との間に介挿されるスペーサ２０とから構成される。
【００１６】
固定部１は、図５〜図７に示すように、例えば金属板をプレス加工して形成され、水平取付部３の左側に、垂直取付部２を垂直に立ち上げるように曲折し、平板状の水平取付部３の前部に、水平支持部４が形成される。水平支持部４上に、支軸５が垂直に突設され、支軸５の元部周囲に、２個の軸周傾斜凸部７が設けられる。２個の軸周傾斜凸部は、水平支持部４上の支軸５の周囲に、約９０度の角度範囲で、約９０度の間隔をおいて、円弧状に設けられる。この２個の軸周傾斜凸部７は、図７に示すように、その上面に傾斜面を円周方向に有して形成される。各軸周傾斜凸部７の傾斜面は、平面視において、円弧状のスロープとして、時計方向にその厚さ（高さ）を徐々に増すように形成されている。
【００１７】
さらに、図７に示すように、支軸５から離れた位置の水平支持部４上に、支持傾斜凸部６が形成される。この支持傾斜凸部６は、支軸５を中心とする扇形状に形成され、その高さ（厚さ）は、平面視で時計方向に徐々に増すように、約９０度の範囲で形成される。
【００１８】
一方、可動部１０は、図５に示すように、例えば金属板をプレス加工して形成され、水平板部１１の後部に、垂直取付部１２を垂直に立ち上げるように曲折し、平板状の水平板部１１の前部に、軸孔１１ａを形成して構成される。垂直取付部１２には複数の取付孔が穿設される。水平板部１１の軸孔１１ａは、スペーサ２０の軸受部２２が下側から挿通可能に形成される。
【００１９】
スペーサ２０は、合成樹脂により板状に一体成形され、スペーサ２０の水平板２１部上には軸受部２２が突設される。軸受部２２には、内部に軸受穴２２ａが底面に開口して形成され、下向きのカップ状に形成される。このスペーサ２０は、可動部１０の水平板部１１に設けた軸孔１１ａに、軸受部２２を下から挿通して、可動部１０の水平板部１１の下面に、図５に示すように、取付ネジ１９を取付孔２５に挿通して取り付けられる。なお、スペーサ２０は、耐摩耗性が高く、摺動時の摩擦抵抗が少なく、摩耗が少ない合成樹脂材料を使用して成形することが好ましく、金属で製作することもできる。
【００２０】
図８に示すように、スペーサ２０の下面に、支持傾斜凹部２３が設けられ、支持傾斜凹部２３は、固定部１の水平支持部４上に設けた支持傾斜凸部６に対応する形状に形成され、スペーサ２０を取着した可動部１０を、固定部１の水平支持部４上に重ね合わせたとき、支持傾斜凸部６が支持傾斜凹部２３と嵌合するようになっている。つまり、支持傾斜凹部２３は、扇形状に形成され、その深さが、平面視で時計方向に徐々に増すように、約９０度の範囲で形成される。
【００２１】
また、スペーサ２０の支持傾斜凹部２３の傾斜面は、可動部１０の開放側への回動時、固定部１の支持傾斜凸部６の傾斜面に摺接することにより、固定部１に対し可動部１０を僅かに上昇させる方向、つまり支持傾斜凸部６の傾斜面とは逆方向に傾斜して形成される。
【００２２】
さらに、スペーサ２０の下面の軸受穴２２ａの周囲に、２個の軸周傾斜凹部２４が設けられる。２個の軸周傾斜凹部２４は、固定部１の支軸５の周囲に設けた軸周傾斜凸部７に対応する形状に形成され、スペーサ２０を取着した可動部１０を、固定部１の水平支持部４上に重ね合わせ、支軸５を軸受部２２の軸受穴２２ａに挿入したとき、２個の軸周傾斜凸部７が、各々、軸周傾斜凹部２４と嵌合するようになっている。つまり、各軸周傾斜凹部２４は、平面視において、時計方向にその深さが徐々に増すように形成され、凹部底面に円弧状のスロープが形成される。
【００２３】
また、スペーサ２０の２個の軸周傾斜凹部２４の傾斜面は、各々、可動部１０の開放側への回動時、固定部１の軸周傾斜凸部７の傾斜面に摺接することにより、固定部１に対し可動部１０を僅かに上昇させる方向、つまり軸周傾斜凸部７の傾斜面とは逆方向に傾斜して形成される。
【００２４】
このように、スペーサ２０付きの可動部１０は、前枠の開操作時、固定部１上で開放側へ回動したとき、支持傾斜凸部６と支持傾斜凹部２３の傾斜面が摺接し、且つ軸周傾斜凸部７と軸周傾斜凹部２４の傾斜面が摺接することにより、固定部１に対し可動部１０を僅かに上昇させるようになっている。
【００２５】
なお、この実施形態では、可動部１０が固定部１に対し約９０度開く間に、可動部１０が僅かに上昇するように、支持傾斜凸部６と支持傾斜凹部２３の角度範囲は、約９０度とし、２個の軸周傾斜凸部７と２個の軸周傾斜凹部２４の角度範囲は約９０度としたが、可動部１０の開放側への角度に応じて、その角度範囲は変えることができる。また、２個の軸周傾斜凸部７と２個の軸周傾斜凹部２４は、３個或いは４個として、支軸５の周囲または軸受穴２２ａの周囲に設けることもできる。
【００２６】
上記のように構成された固定部１は、図１０に示すように、その垂直取付部２と水平取付部３を、ゲーム機の本体枠３０の内側の左側下部の取付面に当て、その水平支持部４を前方に出した状態で、取付孔と固定ねじを用いて、ゲーム機の本体枠３０側に固定される。
【００２７】
一方、可動部１０の下面に、図９に示すように、スペーサ２０が取り付けられる。スペーサ２０は、その軸受部２２を、可動部１０の水平板部１１の軸孔１１ａに挿通させた状態で、その下面に重ね合わせ、取付ネジ１９を取付孔２５に挿入して、水平板部１１の下面に取り付けられる。
【００２８】
スペーサ付きの可動部１０は、その水平板部１１をゲーム機の前枠３１の左側下部の底面に当てると共に、その垂直取付部１２を前枠３１の左側下部の内側に当て、その垂直取付部１２に穿設した取付孔及び固定ねじを用いて、その軸受部２２を前方に出した状態で固定される。
【００２９】
そして、本体枠３０の上部と前枠３１の上部には、別の分離形蝶番が取り付けられ、前枠３１を本体枠３０に対し装着する場合、例えば前枠３１を持ち本体枠３０に対し所定角度開いた状態で、先ず、可動部１０（スペーサ２０）の軸受部２２の軸受穴２２ａを、固定部１の支軸５に嵌め込み、次に図示しない上部の分離形蝶番の可動部を固定部に嵌め込む。
【００３０】
この状態で、前枠３１は、本体枠３０に対し蝶番を介して開閉可能に取り付けられ、前枠３１を閉じると、図１０のような閉鎖状態となる。この状態で、固定部１の水平支持部４上に設けた支持傾斜凸部６には、スペーサ２０の下面の支持傾斜凹部２３が適正に嵌り、軸周傾斜凸部７に、スペーサ２０の軸周傾斜凹部２４が適正に嵌合する。適正嵌合状態では、水平支持部４上にスペーサ２０の下面が密着し、基準位置となる。
【００３１】
前枠３１を本体枠３０に対し開くと、図１１，１２に示すように、可動部１０が支軸５を中心に、固定部１に対し時計方向に回動し、可動部１０のスペーサ２０が固定部１上を摺動する。このとき、スペーサ２０の支持傾斜凹部２３の傾斜面が固定部１の支持傾斜凸部６の傾斜面上を摺接し、且つスペーサ２０の軸周傾斜凹部２４の傾斜面が支軸５の回りの軸周傾斜凸部７の傾斜面上を摺接する。
【００３２】
このとき、支持傾斜凹部２３の下向きの傾斜面が支持傾斜凸部６の上向きの傾斜面上に乗り上げるように摺動し、且つ軸周傾斜凹部２４の下向きの傾斜面が軸周傾斜凸部７の上向きの傾斜面上に乗り上げるように摺動し、これにより、可動部１０つまり前枠３１が僅かに、基準位置から、例えば１ｍｍから数ｍｍの高さだけ持ち上げられ上昇する。
【００３３】
このため、可動部１０のスペーサ２０の水平板部２１の下面が、固定部１の水平支持部４に接触していたとしても、その摩擦抵抗は非常に小さくなり、円滑に前枠３１を開閉することができる。また、従来の蝶番のように金属部が相互に摺動する蝶番に比して、摺動部分の磨耗が低減され、摩擦による金属粉の発生も防止することができる。また、相互に摺動する金属部間に、単純なシート状のスペーサを介挿した従来の蝶番に比しても、摩擦抵抗を低減し、スペーサの摩耗を低減することができる。
【００３４】
なお、上記実施形態とは逆に、図１３に示すように、固定部１Ａの支軸５から離れた位置の水平支持部上に、支持傾斜凹部６Ａを設け、水平支持部上の支軸５の周囲に、軸周傾斜凹部７Ａを設け、スペーサ２０Ａの下面の軸受穴２２ａの周囲に、軸周傾斜凹部７Ａの傾斜面に摺接する軸周傾斜凸部２４Ａを設け、スペーサ２０Ａの水平板部の下面に、支持傾斜凹部６Ａの傾斜面に摺接する支持傾斜凸部２３Ａを設けるように構成することもできる。
【００３５】
このような構成によっても、可動部１１の開放側への回動時、支持傾斜凸部２３Ａが支持傾斜凹部６Ａの傾斜面に摺接し、軸周傾斜凸部２４Ａが軸周傾斜凹部７Ａの傾斜面に摺接し、固定部１Ａに対し可動部１１を僅かに上昇させ、摩擦抵抗を低減させることができる。
【００３６】
図１４は、さらに他の実施形態を示している。この例では、可動部１０Ｂの水平板部１１Ｂの下面に、支軸５Ｂが下向きに突設され、スペーサ２０Ｂが固定部１Ｂ上に、取り付けられる。スペーサ２０Ｂの下面に軸受部２２Ｂが突設され、その内側に、軸受部２２Ｂ上に開口して軸受穴２２ｂが設けられる。
【００３７】
可動部１０Ｂの支軸５Ｂから離れた位置の水平板部１１Ｂに、支持傾斜凸部１６Ｂを設け、支軸５Ｂの周囲に、軸周傾斜凸部１７Ｂが設けられる。また、スペーサ２０Ｂ上の軸受穴２２ｂの周囲に、軸周傾斜凸部１７Ｂの傾斜面に摺接する軸周傾斜凹部２４Ｂが設けられ、スペーサ２０Ｂの水平板部２１の上面に、支持傾斜凸部１６Ｂの傾斜面に摺接する支持傾斜凹部２３Ｂが設けられる。
【００３８】
このような構成によっても、可動部１１Ｂの開放側への回動時、支持傾斜凸部１６Ｂと支持傾斜凹部２３Ｂの傾斜面が摺接し、軸周傾斜凸部１７Ｂと軸周傾斜凹部２４Ｂの傾斜面が摺接し、固定部１Ｂとスペーサ２０Ｂに対し可動部１１Ｂを僅かに上昇させ、摩擦抵抗を低減させることができる。
【００３９】
また、図１４に示した、可動部１０Ｂとスペーサ２０Ｂの接触部に設けた支持傾斜凸部１６Ｂと支持傾斜凹部２３Ｂ、及び軸周傾斜凸部１７Ｂと軸周傾斜凹部２４Ｂの関係は、各々、凹部と凸部を逆にし、可動部１０Ｂの下面に支持傾斜凹部を設け、その支軸５Ｂの周囲に軸周傾斜凹部を設け、スペーサ２０Ｂ上に、支持傾斜凸部を設け、軸受穴２２ｂの周囲に軸周傾斜凸部を設けることもできる。
【符号の説明】
【００４０】
１      固定部
２      垂直取付部
３      水平取付部
４      水平支持部
５      支軸
６      支持傾斜凸部
７      軸周傾斜凸部
１０    可動部
１１    水平板部
１１ａ  軸孔
１２    垂直取付部
１９    取付ネジ
２０    スペーサ
２１    水平板部
２２    軸受部
２２ａ  軸受穴
２３    支持傾斜凹部
２４    軸周傾斜凹部
２５    取付孔
３０    本体枠
３１    前枠
【図１】
2020022575.tif 000003
【図２】
2020022575.tif 000004
【図３】
2020022575.tif 000005
【図４】
2020022575.tif 000006
【図５】
2020022575.tif 000007
【図６】
2020022575.tif 000008
【図７】
2020022575.tif 000009
【図８】
2020022575.tif 000010
【図９】
2020022575.tif 000011
【図１０】
2020022575.tif 000012
【図１１】
2020022575.tif 000013
【図１２】
2020022575.tif 000014
【図１３】
2020022575.tif 000015
【図１４】
2020022575.tif 000016